(57)【要約】【課題】極めて簡易な構成により同一周波数干渉を除去する無線通信装置および受信ノイズ除去方法を提供する。【解決手段】波形再生部１６は、エッジ判定部１５が出力するエッジ信号にて２つの連続する同位相の矩形データを検出した場合、当該２つの同位相の矩形データの間にある送信エッジ検出部１２が検出した送信エッジ検出信号のタイミングにて上記２つの同位相の矩形データとは逆位相の矩形データを生成し、当該矩形データから受信データを再生する。【選択図】図２
2008028790.tif 000002
【特許請求の範囲】
【請求項１】
送信データを変調し送信信号を生成して送信アンテナから送信し、かつ受信アンテナにより受信した受信信号を復調し受信データを再生する全２重通信の無線通信装置において、
前記受信信号のエッジ成分を抽出する受信エッジ抽出部と、
前記送信データのエッジ成分を検出して送信エッジ検出信号を出力する送信エッジ検出部と、
前記送信エッジ検出信号に基づいて前記受信信号のエッジ成分から前記送信データのエッジ成分を除去して受信データのエッジ成分を再生して受信エッジ再生信号を出力する受信エッジ再生部と、
前記受信エッジ再生信号に含まれるエッジのタイミングに基づいて、受信データを再生する波形再生部と、を備えたことを特徴とする無線通信装置。
【請求項２】
前記波形再生部は、前記受信エッジ再生信号に連続する同位相のエッジを検出した場合、前記同位相のエッジの間にある前記送信エッジ検出部が検出した送信エッジ検出信号のタイミングにて前記同位相のエッジとは逆位相となる受信データを再生することを特徴とする請求項１記載の無線通信装置。
【請求項３】
前記受信エッジ再生部に擬似的な受信ノイズを出力する擬似雑音発生器と、
前記受信エッジ再生部からの信号から高周波成分を除去するフィルタと、
前記高周波成分が除去された信号のエッジ信号を生成するエッジ判定部とを備え、
前記受信エッジ再生部は、前記受信信号のエッジ成分から前記送信データのエッジ成分を除去する代わりに、擬似雑音発生器からの擬似的な受信ノイズを受信信号に付加して出力する機能を備えたことを特徴とする請求項１または２記載の無線通信装置。
【請求項４】
送信データを変調し送信信号を生成して送信アンテナから送信し、かつ受信アンテナにより受信した受信信号を復調し受信データを生成する全２重通信の無線通信方法において、
前記受信信号のエッジ成分を抽出するステップと、
前記送信データのエッジ成分を検出して送信エッジ検出信号を出力するステップと、
前記受信信号のエッジ成分から前記送信エッジ検出信号に基づいて前記送信データのエッジ成分を除去して受信エッジ再生信号を再生するステップと、
前記受信エッジ再生信号に含まれるエッジのタイミングに基づいて受信データを再生するステップとを含むことを特徴とする受信ノイズ除去方法。
【請求項５】
前記受信エッジ再生信号にて連続する同位相のエッジを検出した場合、同位相のエッジの間にある前記送信エッジ検出信号のタイミングにて前記同位相のエッジとは逆位相となる受信データを生成することを特徴とする請求項４記載の受信ノイズ除去方法。
【請求項６】
前記受信信号のエッジ成分から前記送信データのエッジ成分を除去する代わりに、擬似的な受信ノイズを前記受信信号のエッジ成分に付加して受信エッジ再生信号とし、
この受信エッジ再生信号から高周波成分を除去した後にエッジ信号を生成し、
このエッジ信号に基づいて受信データを再生することを特徴とする請求項４または５記載の受信ノイズ除去方法。
【発明の詳細な説明】
【技術分野】
【０００１】
本発明は、無線通信機器における受信ノイズ除去処理技術に関するものである。
【背景技術】
【０００２】
近年、携帯式電話機や、ＰＤＡ等の携帯端末と呼ばれる機器などの無線通信装置の需要が高まり、急激に一般的に使用されるようになってきた。ところで、通常、全２重通信の無線通信装置において、装置内部の送信漏洩信号は受信性能を大きく劣化させることがある。すなわち、送信漏洩信号と所望の受信信号との搬送波周波数が異なる場合は、フィルタにより容易に送信漏洩信号を取り除くことが可能であるので受信性能への影響は少ない。しかし、送信漏洩信号と所望の受信信号の搬送波周波数が同一である場合には、フィルタによる分離は困難であり、同一周波数干渉を引き起こし、受信性能を大きく劣化させる。そこで、従来の無線通信装置では、周波数特性を制御可能な可変フィルタを用いて、送信信号をフィルタリングすることで、受信信号に含まれる送信漏洩信号と同等の信号を生成し、受信側に含まれる送信漏洩信号をキャンセルするといった方法が採用されている（例えば、特許文献１参照。）。
【特許文献１】特開昭６１−１７７０３３号公報
【発明の開示】
【発明が解決しようとする課題】
【０００３】
しかしながら、従来の無線通信装置では、可変フィルタのような複雑な信号処理回路を用いるため、受信ノイズを除去する処理が極めて複雑になるという課題を有している。
【０００４】
そこで本発明は、上記従来の課題に鑑み、極めて簡易な構成により同一周波数干渉を除去することが可能な無線通信装置および受信ノイズ除去方法を提供することを目的とする。
【課題を解決するための手段】
【０００５】
上記課題を解決するために、本発明の無線通信装置は、送信データを変調し送信信号を生成して送信アンテナから送信し、かつ受信アンテナにより受信した受信信号を復調し受信データを再生する全２重通信の無線通信装置において、前記受信信号のエッジ成分を抽出する受信エッジ抽出部と、前記送信データのエッジ成分を検出して送信エッジ検出信号を出力する送信エッジ検出部と、前記送信エッジ検出信号に基づいて前記受信信号のエッジ成分から前記送信データのエッジ成分を除去して受信データのエッジ成分を再生して受信エッジ再生信号を出力する受信エッジ再生部と、前記受信エッジ再生信号に含まれるエッジのタイミングに基づいて、受信データを再生する波形再生部と、を備えたことを特徴とする。
【０００６】
また、本発明の受信ノイズ除去方法は、送信データを変調し送信信号を生成して送信アンテナから送信し、かつ受信アンテナにより受信した受信信号を復調し受信データを生成する全２重通信の無線通信方法において、前記受信信号のエッジ成分を抽出するステップと、前記送信データのエッジ成分を検出して送信エッジ検出信号を出力するステップと、前記受信信号のエッジ成分から前記送信エッジ検出信号に基づいて前記送信データのエッジ成分を除去して受信エッジ再生信号を再生するステップと、前記受信エッジ再生信号に含まれるエッジのタイミングに基づいて受信データを再生するステップとを含むことを特徴とする。
【発明の効果】
【０００７】
本発明は、複雑な信号処理回路を用いずとも、同一周波数干渉を除去し、所望の受信信号のみを抽出することができるものである。
【発明を実施するための最良の形態】
【０００８】
本発明において、本願の第１の発明では、送信データを変調し送信信号を生成して送信アンテナから送信し、かつ受信アンテナにより受信した受信信号を復調し受信データを再生する全２重通信の無線通信装置において、受信信号のエッジ成分を抽出する受信エッジ抽出部と、送信データのエッジ成分を検出して送信エッジ検出信号を出力する送信エッジ検出部と、送信エッジ検出信号に基づいて受信信号のエッジ成分から送信データのエッジ成分を除去して受信データのエッジ成分を再生して受信エッジ再生信号を出力する受信エッジ再生部と、受信エッジ再生信号に含まれるエッジのタイミングに基づいて、受信データを再生する波形再生部と、を備えたことを特徴としたものである。この構成により、波形再生部は、除去された受信信号のエッジ信号を復活させて所望の受信信号を再生することができる。
【０００９】
本願の第２の発明は、第１の発明において、波形再生部は、受信エッジ再生信号に連続する同位相のエッジを検出した場合、同位相のエッジの間にある送信エッジ検出部が検出した送信エッジ検出信号のタイミングにて同位相のエッジとは逆位相となる受信データを再生することを特徴としたものである。送信エッジ検出信号に基づいて受信信号のエッジ成分から送信データのエッジ成分を除去して受信データのエッジ成分を再生する際に、受信信号のエッジが、送信データのエッジに時間的に近いと、送信データのエッジ成分を除去する際に、受信信号のエッジが除去される。従って、連続する同位相のエッジである場合には、同位相のエッジの間にある送信エッジ検出部が検出した送信エッジ検出信号のタイミングにて、同位相のエッジとは逆位相となる受信データを再生することで、正確な受信データを再生することができる。
【００１０】
また、本願の第３の発明は、第１または第２の発明において、受信エッジ再生部に擬似的な受信ノイズを出力する擬似雑音発生器と、受信エッジ再生部からの信号から高周波成分を除去するフィルタと、高周波成分が除去された信号のエッジ信号を生成するエッジ判定部とを備え、受信エッジ再生部は、受信信号のエッジ成分から送信データのエッジ成分を除去する代わりに、擬似雑音発生器からの擬似的な受信ノイズを受信信号に付加して出力する機能を備えたことを特徴としたものである。受信信号のエッジ成分から送信データのエッジ成分を除去すると、除去した箇所の包絡線の変動が大きいため、低周波成分をもち、所望の受信信号の周波数帯域と重なってしまうおそれがある。そこで、除去する代わりに擬似的なノイズ信号を付加することで、フィルタによって高周波成分を除いた信号をスムーズな信号波形として出力することができる。
【００１１】
本願の第４の発明は、送信データを変調し送信信号を生成して送信アンテナから送信し、かつ受信アンテナにより受信した受信信号を復調し受信データを生成する全２重通信の無線通信方法において、受信信号のエッジ成分を抽出するステップと、送信データのエッジ成分を検出して送信エッジ検出信号を出力するステップと、受信信号のエッジ成分から送信エッジ検出信号に基づいて送信データのエッジ成分を除去して受信エッジ再生信号を再生するステップと、受信エッジ再生信号に含まれるエッジのタイミングに基づいて受信データを再生するステップとを含むことを特徴としたものである。この構成により、波形再生部は、除去された受信信号のエッジ信号を復活させて所望の受信信号を再生することができる。
【００１２】
本願の第５の発明は、第４の発明において、受信エッジ再生信号にて連続する同位相のエッジを検出した場合、同位相のエッジの間にある送信エッジ検出信号のタイミングにて同位相のエッジとは逆位相となる受信データを生成することを特徴としたものである。送信エッジ検出信号に基づいて受信信号のエッジ成分から送信データのエッジ成分を除去して受信データのエッジ成分を再生する際に、受信信号のエッジが、送信データのエッジに時間的に近いと、送信データのエッジ成分を除去する際に、受信信号のエッジが除去される。従って、連続する同位相のエッジである場合には、同位相のエッジの間にある送信エッジ検出部が検出した送信エッジ検出信号のタイミングにて、同位相のエッジとは逆位相となる受信データを再生することで、正確な受信データを再生することができる。
【００１３】
本願の第６の発明は、第４または第５の発明において、受信信号のエッジ成分から送信データのエッジ成分を除去する代わりに、擬似的な受信ノイズを受信信号のエッジ成分に付加して受信エッジ再生信号とし、この受信エッジ再生信号から高周波成分を除去した後にエッジ信号を生成し、このエッジ信号に基づいて受信データを再生することを特徴としたものである。受信信号のエッジ成分から送信データのエッジ成分を除去すると、除去した箇所の包絡線の変動が大きいため、低周波成分をもち、所望の受信信号の周波数帯域と重なってしまうおそれがある。そこで、除去する代わりに擬似的なノイズ信号を付加することで、フィルタによって高周波成分を除いた信号をスムーズな信号波形として出力することができる。
【００１４】
（実施の形態１）
以下に、本発明の実施の形態１に係る無線通信装置について図面に基づいて説明する。図１は、本発明の実施の形態１における無線通信装置の構成を示す機能ブロック図である。
【００１５】
図１に示すように、無線通信装置１は、送信部２と、パスバンド変調器３と、送信アンテナ４と、受信アンテナ５と、パスバンド復調器６と、受信部７とを備えている。
【００１６】
送信部２は、入力された送信データをパルス成形して送信信号として出力する。パスバンド変調器３は、送信部２から入力された送信信号に変調を施し、パスバンドへ周波数変換する。送信アンテナ４は、パスバンド変調器３から入力された送信信号を電波へ変換し、送信波として出力する。受信アンテナ５は、通信相手から受信した電波すなわち所望の受信波を受信信号として出力する。パスバンド復調器６は、受信アンテナ５から入力された受信信号に復調を施し、ベースバンドへ周波数変換する。受信部７は、入力された送信データを用い、パスバンド復調器６から入力された受信信号から送信漏洩信号やノイズなどを除去し、受信データを抽出し、出力する。これは、受信アンテナ５が、所望の受信波だけでなく送信波の一部である送信漏洩波も受信することで、出力する受信信号に送信漏洩信号が含まれてしまうためであり、受信部７が送信データを入力して送信信号と相殺することで、送信漏洩信号の除去を行うものである。
【００１７】
次に、受信部７の構成について図２に基づいて詳細に説明する。図２は、本発明の実施の形態１における無線通信装置の受信部７の構成を示す機能ブロック図である。
【００１８】
図２に示すように、受信部７は、受信エッジ抽出部１１と、送信エッジ検出部１２と、スイッチ部１３と、ＬＰＦ（Ｌｏｗ  ｆｒｅｑｕｅｎｃｙ  Ｐａｓｓ  Ｆｉｌｔｅｒ）１４と、エッジ判定部１５と、波形再生部１６とを備えている。
【００１９】
受信エッジ抽出部１１は、入力される受信信号のエッジ成分を抽出する。送信エッジ検出部１２は、入力される送信データのエッジ成分を検出し、送信エッジ検出信号を出力する。スイッチ部１３は、受信エッジ検出信号に基づいて受信信号のエッジ成分から送信データのエッジ成分を除去して受信データのエッジ成分を再生する受信エッジ再生部である。ＬＰＦ１４は、スイッチ部１３から出力される信号の低周波成分のみを通過させる。エッジ判定部１５は、ＬＰＦ１４から出力される信号のレベルから、エッジであるかどうかを判定し、エッジ信号を出力する。波形再生部１６は、エッジ判定部１５から出力されるエッジ信号に含まれるエッジのタイミングに基づいて矩形波形データを再生する。
【００２０】
以上のように構成された本発明の実施の形態１の無線通信装置の受信処理について、図１および図２と、更に図３から図５に沿って説明する。図３（ａ）は所望とする受信信号の波形を示す図、同図（ｂ）は送信漏洩信号の波形を示す図、同図（ｃ）はノイズ信号の波形を示す図、同図（ｄ）は受信信号の波形を示す図である。図４（ａ）は受信エッジ信号の波形を示す図、同図（ｂ）は送信エッジ検出信号の波形を示す図、同図（ｃ）は干渉除去信号の波形を示す図である。図５（ａ）はＬＰＦ出力信号の波形を示す図、同図（ｂ）はエッジ判定部出力信号の波形を示す図、同図（ｃ）は波形再生部信号の波形を示す図である。
【００２１】
無線通信装置１は、図３（ａ）に示される所望とする受信信号波形は、同図（ｂ）に示される送信漏洩信号と、同図（ｃ）に示されるノイズ信号とが重畳して、パスバンド復調器６から受信部７へ入力される受信信号として、同図（ｄ）に示されるような受信信号の波形となることがある。
【００２２】
このような送信漏洩信号とノイズ信号とが重畳した受信信号が受信部７へ入力されると、図２に示す受信エッジ抽出部１１により受信信号からエッジ成分が抽出される。このエッジ成分は、受信エッジ抽出部１１で、ＨＰＦ（Ｈｉｇｈ  ｆｒｅｑｕｅｎｃｙ  Ｐａｓｓ  Ｆｉｌｔｅｒ）により低周波成分を抑圧したり、微分処理をしたりして容易に抽出することが可能である。受信信号からエッジ成分を抽出した受信エッジ信号の波形を図４（ａ）に示す。この受信エッジ信号のエッジ成分は、図３（ｂ）に示される送信漏洩信号の立ち上がり、および立ち下がりに同期して大きくなっているのがわかる。
【００２３】
また、送信エッジ検出部１２は、入力される送信データのエッジ成分を検出して、図４（ｂ）に示すような送信エッジ検出信号を出力する。つまり、送信エッジ検出部１２は、送信データのエッジ成分を検出したら‘１’、検出しなかったら‘０’を出力することで、送信データの立ち上がり位置と立ち下がり位置とを検出する。送信データのエッジ成分は、受信エッジ抽出部１１と同様に、送信エッジ検出部１２で、送信データを微分処理したり、ＨＰＦにより低周波成分の抑圧を行ったりすることで容易に検出することができる。
【００２４】
受信エッジ抽出部１１からの受信エッジ信号と、送信エッジ検出部１２からの送信エッジ検出信号とは、スイッチ部１３へ入力される。スイッチ部１３では、送信エッジ検出信号に応じて受信エッジ信号をＬＰＦ１４へ出力するか否かの選択を行っている。ここで、スイッチ部１３の動作を、図６に基づいて説明する。図６は、本発明の実施の形態１におけるスイッチ部１３の処理の流れを示すフローチャートである。
【００２５】
スイッチ部１３は、送信エッジ検出部１２からの送信エッジ検出信号を参照し（Ｓ１００）、送信エッジ検出信号が‘１’、つまり送信データのエッジが検出されたら、受信エッジ信号の出力を停止し（Ｓ１１０）、送信エッジ検出信号が‘０’、つまり送信データのエッジが検出されなかったら受信エッジ信号を出力する（Ｓ１２０）。つまり、送信エッジ検出信号の信号期間において、受信信号のエッジ成分の信号レベルをゼロ基準値に変更することで、受信データのエッジ成分を再生する。これにより図４（ｃ）に示すような、受信エッジ信号から送信漏洩信号のエッジ信号を除去した干渉除去信号（受信エッジ再生信号）をＬＰＦ１４へ出力する。
【００２６】
ＬＰＦ１４は、干渉除去信号にある高周波成分のノイズ成分を除去することで、図５（ａ）に示すようなＬＰＦ出力信号をエッジ判定部１５へ出力するフィルタである。
【００２７】
エッジ判定部１５は、ＬＰＦ１４からのＬＰＦ出力信号のレベルから、事前に決められた閾値を基に所望とする受信信号のエッジであるかどうかを判定し、図５（ｂ）に示すような立ち上がりエッジと立ち下がりエッジのタイミングを示すようなエッジ信号をエッジ判定部出力信号として波形再生部１６へ出力する。
【００２８】
波形再生部１６は、エッジ判定部１５から入力されるエッジ信号から、図５（ｃ）に示すような各エッジのタイミングで位相が反転するような矩形波形データを再生して波形再生部信号として出力する。波形再生は、例えば、エッジ信号が‘１’つまり立ち上りエッジがある場合、出力信号をＨに変化させ、エッジ信号が‘−１’つまり立ち下がりエッジがある場合、出力信号をＬに変化させる、つまりエッジがあるごとに出力信号の位相を反転することで波形再生させる。
【００２９】
ここで、波形再生部１６が行う波形再生処理について図７に基づいて詳細に説明する。図７は、波形再生部１６の波形再生処理の流れを示すフローチャートである。
【００３０】
エッジ信号は、通常、異なる位相のエッジ信号が交互に入力される。しかし、図５（ｂ）に示すように、エッジ判定部１５からのエッジ判定部出力信号では、同じ位相のエッジが連続して現れることがある。これは、図３（ａ）に示す所望の受信信号のエッジＡが、同図（ｂ）に示す送信漏洩信号のエッジＢに時間的に近いため、スイッチ部１３により送信漏洩信号のエッジ信号と共にエッジが除去されたためである。
【００３１】
そこで、図７に示すように、波形再生部１６では、連続して同じ位相のエッジが入力されるかどうかを検出して（Ｓ２００）、検出されたら、送信漏洩信号のエッジ信号の箇所に所望の受信信号のエッジがあったと推定し、送信エッジ検出信号が‘１’になるタイミングにて出力信号の位相を反転し（Ｓ２１０）、検出されなかったら出力信号の位相を反転しないようにする（Ｓ２２０）。これにより図５（ｃ）に示すように除去されたエッジＣを再生することで、所望の受信信号が得られる。
【００３２】
以上のように、本発明の実施の形態１では、複雑な信号処理回路を用いずとも、同一周波数干渉を除去し、所望の受信信号のみを抽出することができる。
【００３３】
（実施の形態２）
次に、本発明の実施の形態２に係る無線通信装置について図面に基づいて説明する。図８は、本発明の実施の形態２における無線通信装置の受信部の構成を示す機能ブロック図である。図８においては、図２と同じ構成のものは同符号を付して説明を省略する。実施の形態２に係る無線通信装置は、受信部７内に擬似雑音発生器１７を設け、ノイズ除去の精度を更に向上させたものである。
【００３４】
図８に示すように、受信部７には擬似雑音発生器１７が、スイッチ部１３に接続するように設けられている。この擬似雑音発生器１７は、最大値が受信信号のノイズの最大振幅値と同程度である乱数を擬似雑音信号として出力する機能を備えており、スイッチ部１３により、送信エッジ検出信号の信号期間において、この擬似雑音信号が干渉除去信号として出力される。乱数は、予め用意した乱数を繰り返したり、数学的に乱数を算出したりして発生させることができるが、他の方法でも乱数に近似していれば使用することができる。次に、本実施の形態２に係る無線通信装置の受信処理について、図９から図１１に基づいて説明する。図９は、スイッチ部１３の処理の流れを示すフローチャートである。図１０（ａ）は受信エッジ信号の波形を示す図、同図（ｂ）は送信エッジ検出信号の波形を示す図、同図（ｃ）は干渉除去信号の波形を示す図である。図１１（ａ）はＬＰＦ出力信号の波形を示す図、同図（ｂ）はエッジ判定部出力信号の波形を示す図、同図（ｃ）は波形再生部信号の波形を示す図である。
【００３５】
スイッチ部１３は、図１０（ｂ）に示される送信エッジ検出信号を参照し（Ｓ３００）、送信エッジ検出信号が‘１’、つまり送信データのエッジが検出されたら、図１０（ａ）に示される受信エッジ信号の出力を停止し、擬似雑音信号を出力する（Ｓ３１０）。送信エッジ検出信号が‘０’、つまり送信データのエッジが検出されなかったら受信エッジ信号を出力し、擬似雑音信号の出力を停止する（Ｓ３２０）。
【００３６】
これにより図１０（ｃ）に示すような、スイッチ部１３が受信エッジ信号の出力を停止した期間Ｔの間も、擬似雑音発生器１７からの擬似雑音信号を出力するので、受信エッジ信号から送信漏洩信号のエッジ信号を除去した干渉除去信号を出力することができる。
【００３７】
実施の形態１では、図４（ｃ）に示される干渉除去信号において、スイッチ部１３により受信エッジ信号の出力を停止した箇所の包絡線の変動が大きいため、低周波成分をもち、所望の受信信号の周波数帯域と重なってしまい、ＬＰＦ１４で十分にノイズ除去ができない場合がある。しかし、本実施の形態２では、スイッチ部１３にて受信エッジ信号の出力を停止する際に、代わりに擬似雑音信号を出力することにより、干渉除去信号の包絡線が滑らかになり、ＬＰＦ１４で十分なノイズ除去ができる。従って、送信漏洩信号と外来のノイズ信号とが受信信号に重畳しても精度よく除去することができる。
【００３８】
以上のように、本発明の実施の形態２では、複雑な信号処理回路を用いずとも、同一周波数干渉を除去し、十分なノイズ除去を行い、所望の受信信号のみを抽出することができる。
【産業上の利用可能性】
【００３９】
本発明は、無線通信機器の無線通信における受信技術に関し、受信における周波数干渉を防止するために、無線通信装置および受信ノイズ除去方法に好適である。
【図面の簡単な説明】
【００４０】
【図１】本発明の実施の形態１における無線通信装置の構成を示す機能ブロック図
【図２】本発明の実施の形態１における無線通信装置の受信部の構成を示す機能ブロック図
【図３】（ａ）所望とする受信信号の波形を示す図、（ｂ）送信漏洩信号の波形を示す図、（ｃ）ノイズ信号の波形を示す図、（ｄ）受信信号の波形を示す図
【図４】（ａ）受信エッジ信号の波形を示す図、（ｂ）送信エッジ検出信号の波形を示す図、（ｃ）干渉除去信号の波形を示す図
【図５】（ａ）ＬＰＦ出力信号の波形を示す図、（ｂ）エッジ判定部出力信号の波形を示す図、（ｃ）波形再生部信号の波形を示す図
【図６】本発明の実施の形態１におけるスイッチ部の処理の流れを示すフローチャート
【図７】本発明の実施の形態１における波形再生部の信号再生処理の流れを示すフローチャート
【図８】本発明の実施の形態２における無線通信装置の受信部の構成を示す機能ブロック図
【図９】スイッチ部の処理の流れを示すフローチャート
【図１０】（ａ）受信エッジ信号の波形を示す図、（ｂ）送信エッジ検出信号の波形を示す図、（ｃ）干渉除去信号の波形を示す図
【図１１】（ａ）ＬＰＦ出力信号の波形を示す図、（ｂ）エッジ判定部出力信号の波形を示す図、（ｃ）波形再生部信号の波形を示す図
【符号の説明】
【００４１】
１    無線通信装置
２    送信部
３    パスバンド変調器
４    送信アンテナ
５    受信アンテナ
６    パスバンド復調器
７    受信部
１１    受信エッジ抽出部
１２    送信エッジ検出部
１３    スイッチ部
１４    ＬＰＦ
１５    エッジ判定部
１６    波形再生部
１７    擬似雑音発生器
【図１】
2008028790.tif 000003
【図２】
2008028790.tif 000004
【図３】
2008028790.tif 000005
【図４】
2008028790.tif 000006
【図５】
2008028790.tif 000007
【図６】
2008028790.tif 000008
【図７】
2008028790.tif 000009
【図８】
2008028790.tif 000010
【図９】
2008028790.tif 000011
【図１０】
2008028790.tif 000012
【図１１】
2008028790.tif 000013